(57)【特許請求の範囲】
【請求項１】
外部から提供される音声データを入力する外部音声入力手段と、
前記外部音声入力手段から入力される前記音声データに応じたオーディオ音をスピーカから出力させる出力部と、
前記外部音声入力手段から入力される音声データを記憶手段に録音する録音部と、
前記スピーカから出力させる前記オーディオ音のミュートを開始するか否かを判定するミュート開始判定手段と、
前記ミュート開始判定手段によって前記オーディオ音のミュートを開始すると判定された場合、前記出力部に前記スピーカからの前記オーディオ音の出力をミュートさせるとともに前記録音部に前記音声データの録音を開始させるミュート開始手段と、
前記スピーカから出力させる前記オーディオ音のミュートを解除するか否かを判定するミュート解除判定手段と、
音源切り替え指示があるか否かを判定する音源切り替え判定手段と、
前記ミュート解除判定手段によって前記オーディオ音のミュートを解除すると判定され、かつ前記音源切り替え判定手段によって前記音源切り替え指示がないと判定された場合、前記録音部によって前記記憶手段に録音された前記音声データを再生して前記出力部から出力させる再生制御手段と、を備えたことを特徴とする車載オーディオ装置。
【請求項２】
前記再生制御手段は、前記録音部による前記音声データの前記記憶手段への録音と同時に前記記憶手段に録音された前記音声データの再生を行うタイムシフト再生を行うことを特徴とする請求項１に記載の車載オーディオ装置。
【請求項３】
前記音声データの再生速度を通常よりも速い速度に決定する再生速度決定手段を備え、
前記再生制御手段は、前記再生速度決定手段によって決定された前記再生速度で前記音声データを再生して前記出力部から出力させることを特徴とする請求項１または２に記載の車載オーディオ装置。
【請求項４】
前記再生速度決定手段は、前記オーディオ音をミュートしてから前記オーディオ音のミュートを解除するまでのミュート時間が長いほど前記再生速度が速くなるように前記音声データの再生速度を決定することを特徴とする請求項１ないし３のいずれか１つに記載の車載オーディオ装置。
【請求項５】
前記音源切り替え判定手段によって前記音源切り替え指示があると判定された場合、前記録音部によって前記記憶手段に録音された前記音声データを消去することを特徴とする請求項１ないし４のいずれか１つに記載の車載オーディオ装置。
【発明の詳細な説明】
【技術分野】
【０００１】
本発明は、車載オーディオ装置に関する。
【背景技術】
【０００２】
従来、車載オーディオ装置には、ナビゲーション装置の音声案内を聞き取り易くするため、あるいはナビゲーション装置の音声認識の誤認識を低減するため、ナビゲーション装置の声案内時や音声認識時にナビゲーション装置から入力されるミュート信号に応じてＣＤ、ＭＤなどのオーディオ音をミュートするものがある。このような装置では、例えば、ＣＤやＭＤの再生中にミュート信号が出力されると、ミュート中のオーディオ音を聞き逃してしまう。
【０００３】
このような問題に対処するため、ＣＤ、ＭＤ、カセットテープの再生中にナビゲーション装置やハンズフリー装置等の外部機器からミュート信号が出力されると、楽曲再生を一時停止させてオーディオ音をミュートさせ、ミュート信号の出力が停止されると、一時停止された楽曲の曲頭から再生を再開するものがある（例えば、特許文献１参照）。
【特許文献１】特開平１０−３２０８９２号公報
【発明の開示】
【発明が解決しようとする課題】
【０００４】
しかし、特許文献１に記載された装置は、例えば、ラジオ放送の受信中にナビゲーション装置からミュート信号が入力された場合、ミュート中に受信した内容を聞き逃してしまうといった問題がある。すなわち、ラジオ放送のように外部から提供される音声データを受信している途中で、ナビゲーション装置の音声案内によってラジオ放送の音声出力が突然ミュートされてしまうと、ミュート中の放送内容を聞き逃してしまうといった問題がある。
【０００５】
本発明は上記問題に鑑みたもので、外部から提供される音声データのオーディオ音の出力をミュートしても、ミュート中に提供された情報を聞き逃さないようにすることを目的とする。
【課題を解決するための手段】
【０００６】
上記目的を達成するため、本発明の第１の特徴は、外部から提供される音声データを入力する外部音声入力手段から入力される音声データを記憶手段に録音する録音部と、スピーカから出力させるオーディオ音のミュートを開始するか否かを判定するミュート開始判定手段と、音源切り替え指示があるか否かを判定する音源切り替え判定手段と、ミュート開始判定手段によってオーディオ音のミュートを開始すると判定され、かつ音源切り替え判定手段によって音源切り替え指示がないと判定された場合、出力部にスピーカからのオーディオ音の出力をミュートさせるとともに録音部に音声データの録音を開始させるミュート開始手段と、スピーカから出力させるオーディオ音のミュートを解除するか否かを判定するミュート解除判定手段と、ミュート解除判定手段によってオーディオ音のミュートを解除すると判定された場合、録音部によって記憶手段に録音された音声データを再生して出力部から出力させる再生制御手段と、を備えたことである。
【０００７】
このような構成では、オーディオ音のミュートを開始すると判定すると、録音部に外部音声入力手段から入力される音声データの記憶手段への録音を開始させ、オーディオ音のミュートを解除すると判定すると、記憶手段に録音した音声データを再生して出力部から出力させるので、外部から提供される音声データのオーディオ音の出力をミュートしても、ミュート中に提供された情報を聞き逃さないようにすることができる。
【０００８】
また、本発明の第２の特徴は、録音部による音声データの記憶手段への録音と同時に記憶手段に録音された音声データの再生を行うタイムシフト再生を行うことである。
【０００９】
このような構成では、音声データを再生しても、再生中に外部音声入力手段から入力される音声データが記憶手段に録音されるので、音声データの再生中に外部音声入力手段から入力される音声データを聞き逃さないようにすることができる。
【００１０】
また、本発明の第３の特徴は、音声データの再生速度を通常よりも速い速度に決定し、決定した再生速度で音声データを再生することである。
【００１１】
このような構成では、通常よりも速い再生速度で音声データが再生されるので、通常の再生速度で再生する場合と比較して短時間でミュート中に提供された音声データを確認することができる。また、本発明の第４の特徴は、オーディオ音をミュートしてからオーディオ音のミュートを解除するまでのミュート時間が長いほど再生速度が速くなるように音声データの再生速度を決定することである。さらに、本発明の第５の特徴は、音源切り替え判定手段によって音源切り替え指示があると判定された場合、録音部によって記憶手段に録音された音声データを消去することである。
【発明を実施するための最良の形態】
【００１２】
本発明の一実施形態に係る車載オーディオ装置１およびナビゲーション装置３の構成を図１に示す。図に示すように、車載オーディオ装置１は、オーディオ入力装置１０、オーディオ制御部２０を備えている。
【００１３】
オーディオ入力装置１０は、ＦＭ・ＡＭチューナによって構成されるラジオ受信部１１、ＭＤに記録された楽曲データに応じたオーディオ信号を読み出すＭＤプレーヤ１２およびＣＤに記録された楽曲データに応じた音声データを読み出すＣＤプレーヤ１３を有しており、これらの音源１１〜１３の各々から音声データがオーディオ制御部２０へ入力される。
【００１４】
オーディオ制御部２０は、切替部２１、データ記憶部２２、録音部２３、出力部２４および制御部２５を備えている。
【００１５】
切替部２１は、制御部２５から入力される信号に応じてオーディオ入力装置１０の各音源１１〜１３の中から出力部２４へ入力する音声データの切り替えを行う。すなわち、制御部２５から入力される信号に応じてオーディオ入力装置１０の各音源１１〜１３から特定の音声データを選択し、選択したオーディオ信号を出力部２４へ入力する。また、切替部２１は、制御部２５からの信号に応じて選択した音声データを録音部２３へ入力する。
【００１６】
録音部２３は、制御部２５からの信号に応じてオーディオ入力装置１０から切替部２１を介して入力される音声データをデータ記憶部２２に録音する。
【００１７】
出力部２４は、オーディオ入力装置１０から切替部２１を介して入力される音声データに応じたオーディオ音をスピーカ２から出力させる。また、出力部２４は、制御部２５からオーディオ音のミュートを指示する信号が入力されると、オーディオ入力装置１０から入力される音声データに応じたオーディオ音をミュートし、更に、後述するナビゲーション装置３のナビゲーション制御部３８から音声案内のための音声データが入力されている場合には、ナビゲーション制御部３８から入力される音声データに応じたオーディオ音をスピーカ２から出力させる。
【００１８】
データ記憶部２２は、ハードディスクドライブを用いて構成されている。このデータ記憶部２２には、オーディオ入力装置１０から入力される音声データが記憶される。また、このデータ記憶部２２には、オーディオ音をミュートしてからオーディオ音のミュートを解除するまでのミュート時間に応じて出力部２４によるタイムシフト再生の再生速度を示したテーブル等が記憶されている。
【００１９】
制御部２５は、ＣＰＵ、メモリ等を備えたコンピュータによって構成されており、このＣＰＵはメモリに記憶されたプログラムに従って動作する。
【００２０】
また、本車載オーディオ装置１の制御部２５は、録音部２３による音声データのデータ記憶部２２への録音と、出力部２４によるデータ記憶部２２に記憶された音声データの再生を同時に行うタイムシフト再生する機能を備えている。
【００２１】
ナビゲーション装置３は、位置検出器３０、ナビゲーションのための地図データを入力する地図データ入力部３４、操作スイッチ３５、マイク３６、表示部３７およびナビゲーション制御部３８を備えている。
【００２２】
位置検出器３０は、いずれも周知のＧＰＳ受信機３１、ジャイロスコープ３２、車速センサ３３を有し、これらのセンサ３１〜３３により検出した信号をナビゲーション制御部３８へ出力する。
【００２３】
地図データ入力部３４は、ＣＤやＤＶＤに記憶されたナビゲーションのための地図データを入力するものである。
【００２４】
操作スイッチ３５は、表示部３７の表示画面の回りやリモコンに設けられたメカニカルスイッチや表示部３７の表示画面に重ねて設けられたタッチスイッチ等のスイッチを備え、ユーザによるこれらのスイッチ操作に応じた信号をナビゲーション制御部３８へ出力する。なお、操作スイッチ３５には、音声認識の開始と終了を指示する音声認識スイッチ、ミュートの開始と終了を指示するためのミュートスイッチ等が含まれる。
【００２５】
マイク３６は、乗員の音声を集音するために車室内に設けられており、乗員の音声に応じた音声信号をナビゲーション制御部３８へ出力する。
【００２６】
ナビゲーション制御部３８は、ＣＰＵ、メモリと等を備えたコンピュータによって構成されており、このＣＰＵはメモリに記憶されたプログラムに従って動作する。
【００２７】
ナビゲーション制御部３８のＣＰＵは、位置検出器３０から入力される信号に基づいて現在位置を算出する現在位置算出処理、地図データ入力部３４から地図データを読み出して自車位置周辺の地図上に現在位置マークを表示させる地図表示処理、マイク３６によって集音された車室内の乗員の音声を音声認識する音声認識処理、ユーザの操作スイッチ３５の操作に応じて特定した目的地までの案内経路を探索する経路探索処理、経路設定処理によって設定された案内経路に従って経路案内を行う経路案内処理等を行う。
【００２８】
ナビゲーション制御部３８は、経路案内処理において、右左折交差点等の案内ポイントの所定距離（例えば、３００メートル）前に位置すると、車載オーディオ装置１の出力部１９へ音声案内のための音声データを出力するとともに車載オーディオ装置１の制御部２５へミュート信号を出力し、音声案内のための音声データの出力が終了すると、ミュート信号の出力を停止する。また、ナビゲーション制御部３８は、ユーザの音声認識スイッチ（図示せず）の操作に応じて操作スイッチ３５から音声認識の開始を指示する信号が入力されるとマイク３６から入力される音声データの音声認識処理を開始するとともに車載オーディオ装置１の制御部２５へミュート信号を出力し、音声データの入力が無い状態が所定時間以上継続すると、音声認識処理を終了するとともにミュート信号の出力を停止する。また、ナビゲーション制御部３８は、ユーザのミュートスイッチの操作に応じて操作スイッチ３５からミュートを指示する信号が入力されると車載オーディオ装置１の制御部２５へミュート信号を出力し、ユーザのミュートスイッチの解除操作に応じて操作スイッチ３５からミュートの解除を指示する信号が入力されるとュート信号の出力を停止する。
【００２９】
このように、ナビゲーション制御部３８は、経路案内処理の音声案内時、音声認識処理の音声認識開始時、ユーザによるミュートスイッチの操作時にミュート信号を出力する。
【００３０】
次に、図２に示すフローチャートを参照して、車載オーディオ装置１の制御部２５の処理について説明する。イグニッションスイッチがオンすると車載オーディオ装置１およびナビゲーション装置３は動作状態となり、制御部２５は、図２に示す処理を開始する。
【００３１】
まず、ナビゲーション制御部３８からミュート信号が入力されているか否かに基づいてスピーカ２から出力させるオーディオ音をミュートするか否かを判定する（Ｓ１００）。ナビゲーション制御部３８からミュート信号が入力されない場合、Ｓ１００の判定を繰り返す。
【００３２】
ここで、車両が案内ポイントの所定距離前に位置し、ナビゲーション制御部３８から音声案内のための音声データとともにミュート信号が出力されると、Ｓ１００の判定はＹＥＳとなり、次に、出力部２４にオーディオ入力装置１０から切替部２１を介して入力される音声データに応じたオーデュオ音のミュートを開始させるとともに、録音部２３にオーディオ入力装置１０から切替部２１を介して入力される音声データをデータ記憶部２２に録音させる（Ｓ１０２）。具体的には、出力部２４にオーディオ入力装置１０から切替部２１を介して入力される音声データのミュートの開始を指示する信号を出力するとともに、録音部２３にオーディオ入力装置１０から切替部２１を介して入力される音声データの録音を指示する信号を出力し、更に、ミュート時間のカウントを開始する。これにより、スピーカ２からミュートされたオーディオ音とともに音声案内が出力される。
【００３３】
次に、ナビゲーション制御部３８からのミュート信号の出力が停止したか否かに基づいてスピーカ２から出力させるオーディオ音のミュートを解除するか否かを判定する（Ｓ１０４）。
【００３４】
ナビゲーション制御部３８からミュート信号が出力されている場合、Ｓ１０４の判定を繰り返す。また、ナビゲーション制御部３８からのミュート信号の出力が停止された場合、Ｓ１０４の判定はＹＥＳとなり、次に、音源切り替え指示があるか否かを判定する（Ｓ１０６）。具体的には、ユーザの操作に応じて操作部（図示せず）から音源の切り替え指示を示す信号が入力されたか否かに基づいて音源切り替え指示があるか否かを判定する。
【００３５】
音源の切り替え指示を示す信号が入力されない場合、Ｓ１０６の判定はＮＯとなり、次に、出力部２４にオーディオ音のミュートの解除を指示する信号を送信するとともに、タイムシフト再生の再生速度を決定する（Ｓ１０８）。具体的には、データ記憶部２２に記憶されたテーブルを参照して、タイムシフト再生の再生速度を決定する。このテーブルには、例えば、ミュート時間が５秒の場合の再生速度は通常の再生速度の１．１倍、ミュート時間が１０秒の場合の再生速度は通常の再生速度の１．５倍といったように、ミュート時間が長いほど再生速度が速くなるように再生速度が示されており、制御部２５は、このテーブルを参照して、タイムシフト再生の再生速度を決定する。
【００３６】
次に、タイムシフト再生を行う（Ｓ１１０）。具体的には、録音部２３によってデータ記憶部２２に録音された音声データを、Ｓ１０８にて決定したタイムシフト再生の再生速度で再生し、出力部２４から出力させる。
【００３７】
次に、再生位置と録音部２３による録音位置が一致したか否かに基づいて、タイムシフト再生を終了するか否かを判定する（Ｓ１１２）。すなわち、通常の再生速度よりも速い再生速度でタイムシフト再生を行うため、再生位置が録音部２３による録音位置に追いつき、再生位置と録音位置が一致した場合にタイムシフト再生を終了すると判定する。
【００３８】
ここで、再生位置と録音位置が一致しない場合、Ｓ１１０の処理を継続する。また、再生位置と録音位置が一致すると、Ｓ１１２の判定はＹＥＳとなり、次に、出力部２４にスピーカ２から出力させる音源の切り替えを指示する（Ｓ１１４）。具体的には、タイムシフト再生を終了し、出力部２４にオーディオ入力装置１０から切替部２１を介して入力される音声データに応じたオーデュオ音を出力させるように指示する信号を出力し、Ｓ１００へ戻る。なお、この信号に応じて出力部２４は、オーディオ入力装置１０から切替部２１を介して入力される音声データに応じたオーデュオ音をスピーカ２から出力させる。
【００３９】
また、先のＳ１０６の判定において、音源の切り替え指示を示す信号が入力された場合、１０６の判定はＹＥＳとなり、次に、ミュート中に録音した録音内容を消去し（Ｓ１１６）、Ｓ１１４へ進む。
【００４０】
また、上記実施形態では、車両が案内ポイントの所定距離点前に位置し、ナビゲーション制御部３８から音声案内のための音声データとともにミュート信号が出力された場合の例を示したが、例えば、ユーザの音声認識スイッチの操作に応じてナビゲーション制御部３８が音声認識処理を開始し、ナビゲーション制御部３８からミュート信号が出力された場合にも、同様に、録音部２３にミュート中にオーディオ入力装置１０から切替部２１を介して入力される音声データの録音を開始させ、ミュート信号の出力が停止すると、録音部２３によってデータ記憶部２２に録音された音声データを所定の再生速度でタイムシフト再生し、出力部２４から出力させる。
【００４１】
また、ユーザによってミュートスイッチが操作された場合においても、同様に、録音部２３にミュート中にオーディオ入力装置１０から切替部２１を介して入力される音声データの録音を開始させ、ミュート信号の出力が停止すると、録音部２３によってデータ記憶部２２に録音された音声データを所定の再生速度でタイムシフト再生し、出力部２４から出力させる。
【００４２】
上記した構成によれば、オーディオ音をミュートすると判定（Ｓ１００でＹＥＳと判定）した場合、ラジオ受信部１１から入力される音声データに応じたオーディオ音の出力をミュートさせるとともに録音部２３にラジオ受信部１１から入力される音声データの録音を開始させ、オーディオ音のミュートを解除すると判定（Ｓ１０４でＹＥＳと判定）した場合、ミュート中にデータ記憶部２２に録音された音声データを再生して出力部２４から出力させるので、外部から提供される音声データのオーディオ音の出力をミュートしても、ミュート中に提供された情報を聞き逃さないようにすることができる。
【００４３】
また、録音部２３による音声データのデータ記憶部２２への録音と同時にデータ記憶部２２に録音された音声データの再生を行うタイムシフト再生を行うので、音声データの再生中にラジオ受信部１１から入力される音声データがデータ記憶部２２に録音されるので、音声データの再生中にラジオ受信部１１から入力される音声データを聞き逃さないようにすることができる。
【００４４】
また、音声データの再生速度を通常よりも速い速度に決定し（Ｓ１０８）、決定した再生速度で音声データを再生する（Ｓ１１０）ので、通常の再生速度で再生する場合と比較して短時間でミュート中に提供された音声データを確認することができる。
【００４５】
なお、上記実施形態における構成と特許請求の範囲の構成との対応関係について説明すると、オーディオ入力装置１０のラジオ受信部１１が外部音声入力手段に相当し、Ｓ１００がミュート開始判定手段に相当し、Ｓ１０４がミュート解除判定手段に相当し、データ記憶部２２が記憶手段に相当し、Ｓ１０８が再生速度決定手段に相当する。
【００４６】
なお、本発明は上記実施形態に限定されるものではなく、本発明の趣旨に基づいて種々なる形態で実施することができる。
【００４７】
例えば、上記実施形態では、車載オーディオ装置１とナビゲーション装置３を別体で構成した例を示したが、車載オーディオ装置１とナビゲーション装置３を一体で構成してもよい。
【００４８】
また、上記実施形態では、オーディオ入力装置１０のラジオ受信部１１を外部音声入力手段として説明したが、外部音声入力手段としては、ラジオ受信部１１に限定されるものではなく、例えば、携帯オーディオ端末等の外部機器から音声データを入力する外部オーディオ入力端子を備え、この外部オーディオ入力端子に接続された外部機器を外部音声入力手段として適用してもよい。
【００４９】
また、上記実施形態で示したように、ラジオ受信部１１から入力される音声データだけでなく、切替部２１によって切り替えられたオーディオ入力装置１０の各音源１１〜１３から入力される音声データをデータ記憶部２２に録音させ、ミュート解除時にデータ記憶部２２録音された音声データを再生して出力部２４から出力させるようにしてもよい。また、データ記憶部２２録音された音声データを再生する際に、音声データの再生速度を通常よりも速い速度で再生させるようにしてもよい。
【００５０】
また、上記実施形態では、ナビゲーション装置３の音声案内時や音声認識時にナビゲーション装置３から車載オーディオ装置１にミュート信号が入力されるように構成された例を示したが、ナビゲーション装置３から入力されるミュート信号に限定されるものではなく、例えば、ハンズフリー通話を行うハンズフリー装置から車載オーディオ装置１に、ハンズフリー通話時にミュート信号が入力されるように構成してもよい。
【００５１】
また、上記実施形態では、Ｓ１０８において、ミュート時間に応じてタイムシフト再生の再生速度が示されたテーブルを参照して、タイムシフト再生の再生速度を決定する例を示したが、例えば、タイムシフト再生時間が一定時間となるように、タイムシフト再生の再生速度を算出して決定してもよい。
【００５２】
また、上記実施形態では、記憶手段としてハードディスクドライブを用いて構成されたデータ記憶部２２を用いた例を示したが、例えば、フラッシュメモリ等を用いて構成してもよい。
【００５３】
また、上記実施形態では、録音部２３によってデータ記憶部２２へ録音された音声データを再生する際に、ミュート時間が長いほど再生速度が速くなるように再生速度を決定する例を示したが、オーディオ入力装置１０の音源１１〜１３の種別によっても再生速度を変化させてもよい。例えば、ＣＤ再生中でミュート時間が５秒の場合の再生速度を通常の再生速度の１．１倍、ＣＤ再生中でミュート時間が１０秒の場合の再生速度を通常の再生速度の１．５倍とし、ラジオ受信中でミュート時間が５秒の場合の再生速度を通常の再生速度の１．３倍、ラジオ受信中でミュート時間が１０秒の場合の再生速度を通常の再生速度の１．７倍といったように音源の種別によっても再生速度を変化させるようにしてもよい。
【００５４】
また、上記実施形態では、ラジオ受信部１０、ＭＤプレーヤ１２およびＣＤプレーヤによってオーディオ入力装置１０を構成した例を示したが、これらの音原に限定されるものではない。
【図面の簡単な説明】
【００５５】
【図１】本発明の一実施形態に係る車載オーディオ装置およびナビゲーション装置の構成を示す図である。
【図２】車載オーディオ装置の制御部の処理を示すフローチャートである。
【符号の説明】
【００５６】
１…車載オーディオ装置、２…スピーカ、３…ナビゲーション装置、
３０…オーディオ入力装置、１１…ラジオ受信部、１２…ＭＤプレーヤ、
１３…ＣＤプレーヤ、２０…オーディオ制御部、２１…切替部、２２…データ記憶部、
２３…録音部、２４…出力部、２５…制御部、３０…位置検出器、
３１…ＧＰＳ受信機、３２…ジャイロスコープ、３３…車速センサ、
３４…地図データ入力部、３５…操作スイッチ、３６…マイク、３７…表示部、
３８…ナビゲーション制御部。 
【図１】
0004618163.tif 000002
【図２】
0004618163.tif 000003